【手続補正書】
【提出日】平成16年4月20日(2004.4.20)
【手続補正１】
【補正対象書類名】明細書
【補正対象項目名】全文
【補正方法】変更
【補正の内容】
【発明の名称】遊技機の制御基板収納ボックス
【特許請求の範囲】
【請求項１】遊技機を制御する制御基板を収納する制御基板収納ボックスであって、
前記制御基板の少なくとも一方の面を覆うカバー体と該制御基板との分離、若しくは前記カバー体と前記制御基板の他方の面を覆うケース体との分離を防ぐための封印部を備え、該封印部には、前記カバー体と前記制御基板とを締結し、若しくは前記カバー体と前記ケース体とを締結する締結ビスと、該締結ビスの頭部を塞いで該締結ビスの解除操作を禁止する封印プラグが用いられ、該封印プラグには予備の封印プラグが用意され、該予備の封印プラグを当該制御基板収納ボックスの内部に保管する構成としたことを特徴とする遊技機の制御基板収納ボックス。
【請求項２】請求項１記載の制御基板収納ボックスであって、前記封印プラグは、当該制御基板収納ボックスの内部に配置されるＲＯＭカバーの空間部を利用して保管する構成としたことを特徴とする遊技機の制御基板収納ボックス。
【請求項３】請求項１または２に記載の制御基板収納ボックスであって、前記封印プラグには、前記制御基板収納ボックスに対応した記号を付したことを特徴とする遊技機の制御基板収納ボックス。
【発明の詳細な説明】
【０００１】
【発明の属する技術分野】
この発明は、例えばパチンコ機あるいはスロットマシン等の遊技機における制御基板収納ボックスに関する。
【０００２】
【従来の技術】
従来より、この種の遊技機において制御基板の不正改造、例えば不正ＲＯＭの交換を防止するために、制御基板を収納する制御基板収納ボックスには様々な工夫が施されているが、一般的にはカバー体をケース体にビス止めして固定し、その上で両者間に封印シールを貼り付けておくことにより、カバー体の開放そのものを禁止して制御基板の不正改造を防止するとともに、万一カバー体が開けられて不正改造が行われた場合には、封印シールが切断されていることから容易に不正行為が行われた事実を発見できるようにしていた。
【０００３】
【発明が解決しようとする課題】
しかしながら、上記従来の方法では、封印シールさえ剥がせばカバー体を開けることができるので、比較的容易に制御基板の不正改造を行うことができてしまうという問題があり、また不正改造後、封印シールを巧妙に再度貼り付ければ、不正改造の事実を発見することも困難になってしまうという問題があった。
【０００４】
そこで、本発明は、制御基板の不正改造を確実に防止し得る遊技機の制御基板収納ボックスを提供することを目的とする。
【０００５】
【課題を解決するための手段】
このため、本発明は前記各請求項に記載した構成の制御基板収納ボックスとした。
【０００６】
請求項１記載の制御基板収納ボックスによれば、予備の封印プラグが制御基板収納ボックスの内部に保管されているため、別の場所に保管しておく場合に比して封印プラグを紛失したり盗難に合うおそれがなく、従って封印プラグの悪用（不正な再封印）を未然に防止して制御基板の不正改造をより確実に防止できる。
【０００７】
また、従来制御基板収納ボックスに、正当な理由に基づく複数回の開封を予定して封印部を複数回分設け、各予備の封印部に予備の封印部材を仮止めしておく構成とした制御基板収納ボックス（例えば特願平９−２１６３８）が提供されているが、上記のように予備の封印部材をボックス内部に保管しておくことにより、わざわざ複数回分の封印部を設ける必要がなくなる。
【０００８】
ここで、封印部材とは、制御基板収納ボックスを一旦封印すると、基本的には開封不能とする封印機能を有する全ての手段を含むもので、例えば封印プラグ、シャービスあるいはワンウェイビス等を言う。封印プラグは、締め付けたビス（封印機能を有していなくてもよい）の頭部を塞いでこのビスを緩めることができないようにする機能を有するもので、再開封の場合には破壊しない限りビスを緩めることができないようにするもので、これにより不正開封を未然に防止するとともに、不正開封の事実を容易に発見することができる。このプラグは、通常のビスとの組み合わせあるいは上記シャービスやワンウェイビス等のその他の締結ビスと組み合わせて用いることができる。組み合わせて用いる場合は、プラグおよびビス等の全てを制御基板収納ボックス内に収納してもよく、またプラグのみ収納して、ビス等は予備の封印部に仮止めしておいてもよい。
【０００９】
さらに、予備の封印部材が制御基板収納ボックス内に収納されているので、この予備の封印部材を他の遊技機（実際に不正改造がなされた遊技機）に流用することができず、これによりどの遊技機の制御基板が不正改造されたのか判別不能となる事態を回避でき、ひいては不正改造を確実に防止できる。
【００１０】
請求項２記載の制御基板収納ボックスによれば、通常遊技機の制御基板収納ボックスにはＲＯＭカバーが設けられており、このＲＯＭカバーの内側空間部を利用することにより予備の封印プラグを保管しておくためのスペースを別途用意する必要はない。
【００１１】
請求項３記載の制御基板収納ボックスによれば、各封印プラグがそれぞれに付された記号により、どの封印プラグがどの制御基板収納ボックスに保管されるべきものであるかの判別が簡単にでき、これにより不正開封されていない制御基板収納ボックスの封印プラグを、不正改造した制御基板収納ボックスの再封印に流用することを防止できる。
【００１２】
各封印プラグに付す記号としては、例えば対象となる遊技機の全てについての通し番号（シリアルナンバー）とすることができる。各封印プラグに付した記号に対応させて制御基板収納ボックス側に同一の記号を付しておくことにより、封印プラグそのものの偽造を防止できる。
【００１３】
封印プラグの偽造を防止するには、ホログラムシール等の特殊シールに記号を付して貼り付けておくことが効果的である。
【００１４】
また、この場合、シールを剥がされるおそれがあるため、これを防止するためにシールを貼り付けた表面に透明塗料を塗布しておく等の対策を講ずることが効果的である。
【００１５】
【発明の実施の形態】
次に、本発明の実施形態について説明する。以下説明する実施形態では遊技機の一例としてパチンコ機を例示し、このパチンコ機の制御基板収納ボックスについて説明する。なお、パチンコ機の図示は省略した。図１には本例の制御基板収納ボックス３１０の全体が示されている。この制御基板収納ボックス３１０は、図２に示すように制御基板３１１を収納する図示下側のケース体３１２と、そのケース体３１２に取り付けられて制御基板３１１の上方を覆うカバー体３１３とを備えている。制御基板収納ボックス３１０は、周知のようにパチンコ機の遊技盤の裏面に組付けられる図示しない裏カバー（詳しくは役物保護カバーあるいは裏機構板などが相当する）に取り外し可能に結合されて遊技盤の後側に設置されるものである。
【００１６】
図１に示すように、ケース体３１２は略矩形の箱体をなし、その外周に側壁３１２ａを備えている。ケース体３１２の四隅には、それぞれねじ孔３１４ａを有するボス部３１４が設けられている。また、ケース体３１２の左右側面には、それぞれ上下一対をなす係止ピン３１５，３１５が突出されており、この係止ピン３１５，３１５は、遊技盤の裏カバーに配置される左右のセットプレート３１６の係合孔にそれぞれ係合され、これにより制御基板収納ボックス３１０が遊技盤の裏カバーに支持される。
【００１７】
図１及び図２に示すように、ケース体３１２の内側には、制御基板３１１がほぼ隙間なく収納されている。制御基板３１１は、表面を実装面３１１ａとし、裏面をハンダ面３１１ｂとしている。実装面３１１ａには、ＲＯＭ３１８、各種コネクタ３１９〜３１９の他、図示しないＲＡＭ、ＩＣ、ヒューズ等の各種電気部品が実装されている。なお、ケース体３１２と制御基板３１１との間には、図示は省略したがパンチングメタル等の導電材からなるシールド板が介在されており、このシールド板により、パチンコ球の転がり摩擦等による静電気を遮断し、その静電気による制御基板３１１の電子部品への影響によるノイズの発生を防止するようになっている。
【００１８】
制御基板３１１は、その四隅をケース体３１２の各ボス部３１４〜３１４に載せ掛け、この状態で各ボス部３１４〜３１４のねじ孔３１４ａに固定ビス３２１を締め込んで、当該ケース体３１２の内部に取付けられている。カバー体３１３は、制御基板３１１の左縁部及び下縁部を露出するように前記ケース体３１２よりもやや小さい四角形状に形成されており、図２に示すようにその外周に側壁３１３ａを備えている。
【００１９】
カバー体３１３で覆われない制御基板３１１の実装面３１１ａには、上記各種コネクタ３１９〜３１９が配置されている。また、制御基板３１１の実装面３１１ａに配置されたＲＯＭ３１８の周囲には矩形ボックス状のＲＯＭカバー３２３が配置されている。ＲＯＭカバー３２３の上端はカバー体３１３の内面に当接している。
【００２０】
図４にはこのＲＯＭカバー３２３が単独で示されている。このＲＯＭカバー３２３は仕切り縁３２３ａにより上下二段に仕切られている。この仕切り縁３２３ａの上面側には図示するように合計６箇所のプラグ保管部３８０〜３８０が設けられている。このプラグ保管部３８０〜３８０は後述するように予備の封印プラグ３９０を保管しておくためのもので、６箇所とも同一に構成されている。各プラグ保管部３８０は、上記仕切り縁３２３ａに形成した孔３２３ｂの周囲に沿って対向配置した２個の断面円弧形状をなす保持縁３８０ａ，３８０ａを有している。両保持縁３８０ａ，３８０の端部間にはそれぞれ一定の隙間が設けられている。また、全ての保持縁３８０ａ〜３８０ａは、当該ＲＯＭカバー３２３の枠縁３２３ｃの上端に対して面一となる高さに形成されており、従ってカバー体３１３の内面に当接する。なお、このＲＯＭカバー３２３の下部適数箇所にはスリット３２３ｄ〜３２３ｄが下端から切込み形成されている。各スリット３２３ｄ〜３２３ｄはＲＯＭ３１８の周囲の凸部に対して凹凸係合され、これにより当該ＲＯＭカバー３２３がＲＯＭ３１８に対して位置決めされるようになっている。
【００２１】
次に、図１に示すようにカバー体３１３のほぼ全面には、制御基板収納ボックス３１０の内部で発生する熱を逃がすための小径の放熱孔３２６〜３２６が板厚方向に貫通して多数開けられている。また、カバー体３１３の表面には、機種名シールの貼り付け部３２７と開封経歴を記録するシールの貼り付け部３２９が設定され、また確率変更キースイッチの取り付け孔３２８が設けられている。
【００２２】
カバー体３１３には、放熱孔３２６〜３２６より大きい口径をなす上下左右の計３個の位置決め孔３３３〜３３３が形成されている。位置決め孔３３３〜３３３は、貫通しない有底状に形成されている。これは制御基板収納ボックス３１０内への異物の侵入を極力防ぐことを目的とし、位置決め孔３３３からの針金等による不正改造行為を防止する。
【００２３】
一方、ケース体３１２の下面には、前記位置決め孔３３３に対応した位置（同一軸線上）に位置決め突起３３４〜３３４が突出されている。このため、例えば、複数の制御基板収納ボックス３１０〜３１０を積み重ねたときに、下側の制御基板収納ボックス３１０の位置決め孔３３３に上側の制御基板収納ボックス３１０の位置決め突起３３４が係合することにより、制御基板収納ボックス３１０の荷崩れを防止することができる。このことは、制御基板収納ボックス３１０の輸送時、パチンコ機の組立工場での保管時等に有効である。また、パチンコ機の制御が複雑になり、制御基板３１１の面積を大きくしなければならない場合に、１枚の制御基板３１１で対処しようとするとパチンコ機の裏側の限られた空間に収容することが困難になるため、制御基板３１１を複数に分割して使用することが考えられるが、その際に特別な制御基板収納ボックスを用意することなく、同一の制御基板収納ボックス３１０〜３１０を積み重ねてパチンコ機に搭載する場合に、前記位置決め孔３３３と位置決め突起３３４との係合による位置決め機能によって相互間の位置ずれを防止することができて好都合である。
【００２４】
また位置決め突起３３４は、制御基板収納ボックス３１０を積み重ねた時の荷崩れ防止の他、制御基板収納ボックス３１０をパチンコ機の裏面（具体的には保護カバー等）に前記セットプレート３１６を介して取り付けたときに制御基板収納ボックス３１０を確実に保持する機能も有している。すなわち、通常、セットプレートが可撓性を有していることから、位置決め突起３３４がない場合、制御基板収納ボックス３１０の横方向（図１において左右方向）からの外力によりセットプレートが撓んで制御基板収納ボックス３１０が保護カバー等から外れてしまうおそれがある。このため、保護カバー等に位置決め突起３３４と係合する孔を設けておき、制御基板収納ボックス３１０を保護カバー等に取り付けたときに位置決め突起３３４を保護カバーの孔と係合させることにより、制御基板収納ボックス３１０の横方向の外力による脱落を防止することができる。
【００２５】
次に、図１に示すように、制御基板収納ボックス３１０の側部には、ケース体３１２とカバー体３１３を分離不能に封印するための封印部群３３６〜３３６が設けられている。本実施形態では、この封印部群３３６が制御基板収納ボックス３１０の左右両側部の２ヶ所に設定されている。両封印部群３３６，３３６は、それぞれ締結ビス３３８および封印プラグ３９０によって封印される複数（図は４個を示す。）の封印部３３７を備えている。合計８箇所の封印部３３７〜３３７は同一の構成となっている。
【００２６】
図２に示すようにケース体３１２の側壁３１２ａには、有底状のねじ孔３４２ａを有する封印ボス部３４２が開封部３４２ｂを介して側方へ張出し状に設けられている。一方、カバー体３１３の側壁３１３ａには、上記封印ボス部３４２に対応して封印締着部３４４が開封部３４４ｂを介して同じく側方へ張出し状に設けられている。両開封部３４２ｂ，３４４ｂは、首状に細く形成されており、ニッパー、カッター等の切断工具により切断可能となっている。また、封印ボス部３４２と封印締着部３４４との合わせ面には、相互に嵌まり合う円形の係合凸部３４６ａと係合凹部３４６ｂが設けられている。封印締着部３４４側の係合凸部３４６ａの径は、封印ボス部３４２側の係合凹部３４６ｂの径よりも小さく設定されており、このため図示するように係合凸部３４６ａと係合凹部３４６ｂとの間には適度な隙間が形成されている。
【００２７】
図３には封印締着部３４４が単独で示されている。この封印締着部３４４はほぼ円筒状に形成されており、図示下側のビス挿通孔３４５と、これよりも図示上側のプラグ保持孔３４７を同軸に有している。プラグ保持孔３４７には、スリット３４７ａ，３４７ａが径方向両側に切り込まれて鍵孔状に形成され、またビス挿通孔３４５にもスリット３４５ａ，３４５ａが径方向両側に切込まれて鍵孔状に形成されている。プラグ保持孔３４７側のスリット３４７ａよりもビス挿通孔３４５側のスリット３４５ａの方がより切込み寸法が大きく（径方向に長い）、このため両スリット３４７ａ、３４５ａ間には段差３４８が形成されている。
【００２８】
また、ビス挿通孔３４５は挿通される締結ビス３３８よりも若干小径に形成されているが、両側に形成したスリット３４５ａ，３４５ａによる弾性に抗して押し広げることができる。このため、締結ビス３３８は当該ビス挿通孔３４５を押し広げつつ差し込まれる。これにより、図６に示すように締結ビス３３８は、ねじ孔３４２ａにまでねじ込むことなく、その先端のみを上記ビス挿通孔３４５に差し込んだ状態に仮止めしておくことができるようになっている。
【００２９】
プラグ保持孔３４７には封印プラグ３９０が嵌め込まれる。図５にはこの封印プラグ３９０が単独で示されている。この封印プラグ３９０は、プラグ保持孔３４７にほぼ隙間なく挿入可能な径の円形頭部３９０ａと、この円形頭部３９０ａの両側から側方へ張り出す肩部３９０ｂ，３９０ｂと、この両肩部３９０ｂ，３９０ｂから下方へ延びる脚部３９０ｃ，３９０ｃを備え、両脚部３９０ｃ，３９０ｃの外側面にはそれぞれ爪部３９０ｄが形成されている。
【００３０】
このように形成された封印プラグ３９０は、両脚部３９０ｃ，３９０ｃを、プラグ保持孔３４７の両スリット３４７ａ，３４７ａに差し入れつつ、円形頭部３９０ａをプラグ保持孔３４７に挿入することにより、締結ビス３３８の上方を覆った状態に取付けられる。円形頭部３９０ａの上面がプラグ保持孔３４７の口元にほぼ面一に揃った時点で、両脚部３９０ｃ，３９０ｃの爪部３９０ｄ，３９０ｄがそれぞれ上記段差３４８に引き掛けられるため、一旦プラグ保持孔３４７に挿入した後には、当該封印プラグ３９０は破壊しない限りプラグ保持孔３４７から取り外すことができなくなり、ひいては締め付けた締結ビス３３８を緩めることができなくなる。
【００３１】
ケース体３１２に対するカバー体３１３の組付けに際して、ケース体３１２の封印ボス部３４２とカバー体３１３の封印締着部３４４とが係合凸部３４６ａと係合凹部３４６ｂの嵌め合いを介して同一軸線上に位置され、然る後、締結ビス３３８が封印ボス部３４２のねじ孔３４２ａにねじ込まれることによってケース体３１２とカバー体３１３の封印がなされる。
【００３２】
各封印部群３３６における４個の封印部３３７〜３３７は、図示下側から１回目用、２回目用、３回目用、４回目用の封印部３３７として用意されている。図１に示すようにカバー体３１３の開封部３４４ｂおよび封印締着部３４４の先端側には、封印順位を示す「１，２，３，４」の封印番号が付されている。制御基板収納ボックス３１０の組み立て完了時（パチンコ機メーカーからの出荷段階）では、各封印部群３３６における「１」の封印番号の封印部３３７のみが締結ビス３３８および封印プラグ３９０によって封印され、「２，３，４」の封印番号の封印部３３７〜３３７は予備として封印されない。
【００３３】
しかしながら、締結ビス３３８および封印プラグ３９０は、全封印部３３７〜３３７の数だけ用意されており、従って、合計６か所分の締結ビス３３８〜３３８および封印プラグ３９０〜３９０が予備として設定されている。予備の締結ビス３３８〜３３８は、それぞれ予備の封印部３３７〜３３７に仮止めされる。すなわち、図６に示すように予備の締結ビス３３８は、封印ボス部３４２のビス孔３４２ａにねじ込むことなく、その先端をビス挿通孔３４５に差し込んで仮止めした状態とされている。一方、予備の封印プラグ３９０〜３９０は、前記したプラグ保管部３８０〜３８０に１個づつ保管されている。
【００３４】
各予備の封印プラグ３９０は、各プラグ保管部３８０のおいて両保持縁３８０ａ，３８０ａの端部間の隙間に両脚部３９０ｃ，３９０ｃを挿入しつつ、その円形頭部３９０ａを両保持縁３８０ａ，３８０ａ間の嵌め込んだ状態に保管される。この保管状態が図２に示されている。このプラグ保管部３８０が設けられているＲＯＭカバー３２３は、当該制御基板収納ボックス３１０の内部に封印されるので、プラグ保管部３８０に保管した予備の封印プラグ３９０〜３９０は、当該制御基板収納ボックス３１０を開封しない限り取り出すことができない。
【００３５】
このように構成した制御基板収納ボックス３１０によれば、合計６個の予備の封印プラグ３９０〜３９０が、ＲＯＭカバー３２３に設けたプラグ保管部３８０に保管され、ひいては当該制御基板収納ボックス３１０の内部に保管されるので、例えばパチンコホールの管理者が別途保管しておく必要はなく、従って紛失あるいは盗難のおそれがない。また、予備の封印プラグを例えば制御基板収納ボックス３１０の外部に保管することとした場合には、不正開封されていない制御基板収納ボックス用の封印プラグを、実際に不正開封された制御基板収納ボックスの封印に流用されてしまう問題があるが、本実施形態の制御基板収納ボックス３１０のよればこのような問題はない。
【００３６】
さらに、各封印プラグ３９０〜３９０に、全てのパチンコ機についての通し番号（シリアルナンバー）を付しておくことにより、全ての封印プラグ３９０〜３９０を、各制御基板収納ボックス３１０〜３１０に対して１対１に関係付けることができ、これによっても他のパチンコ機の封印プラグを、不正開封した制御基板収納ボックスの再封印に流用することを防止できる。
【００３７】
ケース体３１２とカバー体３１３とを取り外し不能に封印する締結ビス３３８およびプラグ３９０によって各封印部群３３６の封印番号「１」の封印部３３７が封印されているため、制御基板３１１の不正改造を防止することができる。
【００３８】
また、当局の立ち入り検査等の場合において、カバー体３１３を正当な理由の下に外したい場合には、２ヶ所の封印部群３３６，３３６の封印番号「１」の開封部３４２ｂ，３４４ｂを切断することにより、封印プラグ３９０を外すことなく従って締結ビス３３８を締め付けたままカバー体３１３を簡単に取り外すことができる。これにより制御基板３１１の実装面３１１ａの検査が可能となる。なお封印部３３７の開封に際しては、カバー体３１３の開封部３４４ｂとケース体３１２の開封部３４２ｂのうち、少なくとも一方が切断されればよい。
【００３９】
さらに、２箇所の封印部群３３６，３３６における封印番号「２」の封印部３３７に仮止めした締結ビス３３８を封印ボス部３４２のねじ孔３４２ａに締め付け、然る後プラグ保管部３８０から予備の封印プラグ３９０を取り出して、これをプラグ保持孔３４７に嵌め込めば、当該封印番号「２」の封印部３３７の封印が完了し、これにより当該制御基板収納ボックス３１０を再封印することができる。この繰り返しにより、封印番号「３」、「４」の順に封印をやり直すことができる。従って、本形態の制御基板収納ボックス３１０の場合、４回分の封印が行える。
【００４０】
また、予備の締結ビス３３８〜３３８は、各封印部３３７に仮止めされているので、封印に際しこの締結ビス３３８を即時に使用して封印することができる。従って、封印に際し締結ビス３３８を用意する手間を省くとともに、締結ビス３３８の紛失を防止することができる。予備の締結ビス３３８はその先端をビス挿通孔３４５に挟着させた状態に仮止めされているので、パチンコ機の搬送中において振動等により脱落することはない。
【００４１】
また、封印番号により封印部３３７〜３３７の封印順位が明確に表示されているため、封印順位をホール管理者等が容易に管理することができ、ひいては不正改造行為を容易に発見することができる。
【００４２】
以上説明した実施形態には種々変更を加えて実施することが可能である。例えば、本実施形態では、封印プラグ３９０〜３９０のみを制御基板収納ボックス３１０内に保管する構成としたが、締結ビス３３８〜３３８も当該制御基板収納ボックス３１０内に保管する構成としてもよい。
【００４３】
また、例示した実施形態では、締結ビス３３８として、それ自体では封印機能のない通常のビスを用いたが、この締結ビスとしてはそれ自体に封印機能を有するシャービスあるいはワンウェイビスを用いてもよい。封印機能を有する締結ビスを用いる場合は、封印プラグ３９０は必ずしも必要なく、従ってこの場合には締結ビスのみを制御基板収納ボックス３１０の内部に保管することとしてもよい。また、封印プラグ３９０は例示した形態のものに限定されるものではなく、単なる円柱形状あるいはくさび型等様々の形態のもので実施することができる。
【００４４】
さらに、各封印群３３６に４箇所づつの封印部３３７〜３３７を設けた構成を例示したが、各封印群３３６について１か所づつの封印部３３７としてもよい。この場合、正当な理由の下に当該制御基板収納ボックス３１０を開封する場合には、プラグ保持孔３４７に封印されている封印プラグ３９０を破壊し、再封印にはこの封印部がそのまま再使用される。従来のように、複数回分の封印部を設定してそれぞれに予備の封印部材を仮止めしておく構成とした場合には、各封印群における封印部は複数箇所（少なくとも２か所）である必要があるが、本実施形態のように予備の封印部材（封印プラグ３９０〜３９０）を制御基板収納ボックス３１０内に保管する構成とすることにより、各封印群における封印部は１箇所にすることができる。
【００４５】
また、制御基板収納ボックス３１０を透明樹脂製とすることにより、プラグ保管部３８０の封印プラグ３９０〜３９０の数を容易に確認でき、これにより開封の経歴を知ることができる。
【００４６】
さらに、以下種々変更を加えた構成を説明する。なお、以下示す各変更例においても遊技機の一例としてパチンコ機を例示するが、その他の遊技機例えばスロットマシンあるいはギャンブル性の高いゲーム機等の遊技機にも同様に適用できる。
〔第１変更例〕
第１変更例について図７〜図１８に基づいて説明する。パチンコ機において、制御基板収納ボックスＢは、遊技盤の裏面に組付けられる図示しない裏カバーに取外し可能に結合されて遊技盤の後側に設置される。
【００４７】
制御基板収納ボックスＢは、図７〜図９に示すように制御基板３が内部に装入された状態で垂直状に設置されて合成樹脂材で後方開放の浅箱状に成形されたケース体１と、制御基板３をその背後から覆って制御基板３の下端縁付近および一方の側縁付近を外部に露出した状態でケース体１に重ね合わされてケース体１の後側に設置され、透明な合成樹脂材で前方開放の箱型状に成形されたカバー体２とによって形成されている。
【００４８】
図１０に示すようにケース体１にはその前端に垂立された前壁板４と、この前壁板４の周縁部に制御基板３を包囲した状態で一体状に連接されて後方へ突出された周壁部５とが形成され、制御基板３は前壁板４の後面に凸設された突片４ａにねじ止めされてケース体１内に密嵌状に嵌め込まれている。
【００４９】
ケース体１の周壁部５の内壁面には、制御基板３の周縁部を支える段部５ａが段差状に形成されている。ケース体１の周壁部５の左右側面には、ケース体１を支持する図示しない１対の支持部材の孔部に係合する上下１対の係合片７がそれぞれ凸設されている。
【００５０】
ケース体１の周壁部５には、この周壁部５のうち、制御基板３の下端縁付近にこの下端縁に沿って取り付けられてカバー体２の外部に露出された複数個のコネクタ３０〜３０から最も離れた上壁部と、制御基板３の一方の側縁付近にこの側縁に沿って取り付けられてカバー体２の外部に露出された電源用コネクタ３１およびヒューズ３２から最も離れた一方の側壁部とにわたって各コネクタ３０，３１およびヒューズ３２を避けた状態で設置されて制御基板３の後面の後方へ突出された前突き合わせ壁８が形成されている。
【００５１】
前突き合わせ壁８は、制御基板３の上端縁に沿って水平状に設置された横壁板８ａと、制御基板３の他方の側縁に沿って垂直状に設置された縦壁板８ｂとが直交状に連接されて形成されている。
【００５２】
前突き合わせ壁８の後端には、同一垂直平面内に配置された前合わせ面９が形成されている。
【００５３】
ケース体１の前突き合わせ壁８の上面（図１０において下面）には、カバー体２をケース体１に固定するための締結ビス４０（図７参照）がねじ込まれる取付ボス部３３が突設されている。
【００５４】
また、前突き合わせ壁８には、その横壁部８ａの両端付近および縦壁部８ｂの下端付近にそれぞれ配設された３個の係止部１０が形成され、この各係止部１０には後端縁が前合わせ面９に整合されかつ先端縁が前合わせ面９の若干前方に配設されて前突き合わせ壁８の内壁面に整合された爪片１０ａが突出形成されている。
【００５５】
前突き合わせ壁８には各係止部１０の前側にそれぞれ隣設された３個の孔部８ｃが形成されている。
【００５６】
前突き合わせ壁８には前合わせ面９に一体状に連接されて後方へ水平状に突出され、各係止部１０の近傍にそれぞれ配設された３個のピン状の位置決め突起１１が形成されている。
【００５７】
次に、カバー体２には、その後端に垂立された後壁板１５と、この後壁板１５の周縁部に一体状に連接されて前方へ突出された周壁部１６とが形成されている。
【００５８】
カバー体２の後壁板１５には、横方向へ配列された複数個の放熱孔３４が開設されるとともに、後壁板１５にはその前面に連接されて前方へ突出された円筒状のスイッチ防護壁３５が形成され、このスイッチ防護壁３５内にはスイッチホルダ３６によって制御基板３に取り付けられたキースイッチ３７の後部が挿入され、カバー体２をケース体１に結合すると、スイッチ防護壁３５の前端縁がスイッチホルダ３６に押し付けられる。
【００５９】
カバー体２の周壁部１６にはケース体１の前突き合わせ壁８の後側に突き合わせ状に設置された後突き合わせ壁１７が周壁部１６のうちの上壁部と一方の側壁部とにわたって形成されている。
【００６０】
後突き合わせ壁１７には前突き合わせ壁８の横壁板８ａの後側に水平状に設置された横壁板１７ａと、前突き合わせ壁８の縦壁板８ｂの後側に垂直状に設置された縦壁板１７ｂとが形成されている。
【００６１】
後突き合わせ壁１７の前端には前合わせ面９に接して重ね合わされる後合わせ面１８が形成されている。
【００６２】
後突き合わせ壁１７には後合わせ面１８に連接されてその前方へ突出され、ケース体１の各係止部１０に解離可能に係止される３個の被係止部１９が各係止部１０にそれぞれ対向して弾性曲げ変形可能に形成されている。
【００６３】
各被係止部１９の前端には後合わせ面１８の若干前方に配設されて係止部１０の爪片１０ａに解離可能に掛合される爪片１９ａがそれぞれ突設されている。
【００６４】
後突き合わせ壁１７には各係止部１０と各被係止部１９との掛合状態が解離される方向へのカバー体２の動きを位置決め突起１１と協仂して阻止してケース体１とカバー体２とを位置合わせする３個の案内部２０が各位置決め突起１１にそれぞれ対向して形成されている。
【００６５】
各案内部２０には水平な中心軸を有し、位置決め突起１１が脱出可能に嵌め合わされるガイド孔２０ａがそれぞれ凹設されている。
【００６６】
各位置決め突起１１の前部をそれぞれ後案内部２０のガイド孔２０ａ内に挿入した状態でカバー体２を前方へ押込むと、カバー体２が各位置決め突起１１および各案内部２０によって案内されて被係止部１９の曲げ弾発力に抗して前方へ直進し、前後合わせ面９，１８が接して各被係止部１９が各係止部１０に掛合する。
【００６７】
なお、前突き合わせ壁８に被係止部１９を形成し、後突き合わせ壁１７に係止部１０を形成してもよい。また、前突き合わせ壁８に案内部２０を形成し、後突き合わせ壁１７に位置決め突起１１を形成してもよい。
【００６８】
次に、前記制御基板収納ボックスＢに設けられた結合手段について説明する。結合手段は、図１７（ａ）に結合部の断面図を示すように締結ビス４０とプラグ４１とからなる。この締結ビス４０とプラグ４１とによる結合部分の構造について詳述する。
【００６９】
カバー体２には、ケース体１の取付ボス部３３に対応する有底円筒状の円筒部４２が形成されている。円筒部４２は、前記取付ボス部３３に制御基板３を間にして対向している。円筒部４２及び制御基板３には、取付ボス部３３の取付孔３３ａと同一軸線上にほぼ位置する挿通孔４２ａ，３ａが設けられている。締結ビス４０は、皿形の十字孔付き頭部をもつビスからなり、カバー体２の円筒部４２の挿通孔４２ａ及び制御基板３の挿通孔３ａを通してケース体１の取付ボス部３３の取付孔３３ａにネジ付けられ、ケース体１とカバー体２とを締結している。なお締結ビス４０は、本発明でいう締結手段に相当している。
【００７０】
前記ケース体１の円筒部４２内には、前記締結ビス４０の締結後に図１７（ｂ）に斜視図で示すような円柱状をしたプラグ４１が同図（ａ）に示すように圧入によって嵌着されている。このため前記締結ビス４０に対する締結解除作用が防止されるため、締結ビス４０が取り外せなくなり、よってカバー体２が開けれない。なおプラグ４１は、本発明でいう締結解除防止手段に相当している。
【００７１】
また、カバー体２の円筒部４２の周囲には同一円周上に位置する円弧状の第１スリット孔４４が断続的に複数（図では４個で例示した）形成されている。これによって円筒部４２とそれ以外のケース部分とが第１スリット孔４４の間の支持部分（図７及び図１１に符号４５を記し、第１支持部という）によって連設されている。
【００７２】
またカバー体２の円筒部４２における底面近くの円筒部には、一円周上に位置する第２スリット孔４７が断続的に複数（例えば４個）形成されている。これによって円筒部４２底部とそれ以外の円筒部４２部分とが第２スリット孔４７の間の支持部分（図示省略し、第２支持部という）によって連設されている。
【００７３】
また、図７〜図９に示すようにカバー体２の周縁３箇所には、不正改造防止用の封印シールを貼り付けるための封印シール貼り付け部２３〜２３が設けられている。同貼り付け部２３の周囲には突条２３ａが形成されており、これにより貼り付けた封印シール（図示省略）の端部を遮蔽することにより、一旦貼り付けた封印シールを簡単には剥がせないようになっている。
【００７４】
以上のように構成された制御基板収納ボックスＢによれば、ケース体１に制御基板３をセットし、これに被せるようにしてカバー体２を取り付けた状態で、締結ビス４０を締め込んでプラグ４１を嵌着し、かつ封印シールを所定の部位に貼り付けることにより、ボックス内部に制御基板３が収納される。この状態で、当該制御基板収納ボックスＢがパチンコ機の裏面に設置される。
【００７５】
上記したパチンコ機の制御基板収納ボックスＢによると、ケース体１とカバー体２とが締結ビス４０とプラグ４１とによる結合手段により分離不能に結合されているため、制御基板３のＲＯＭ交換等の不正改造をするためには前記締結ビス４０とプラグ４１とによる結合部分を破壊させなければならず、このため不正改造されたとしても結合部分の破壊の痕跡が明らかに残ることになる。したがって従来に比べ、制御基板３の不正改造をより確実に防止することができる。
【００７６】
また、ケース体１とカバー体２とを締結ビス４０で締結した後にプラグ４１を設けるといった簡単な構造により、ケース体１とカバー体２とを分離不能に結合することができ、このためコスト低減に有利である。なお締結ビス４０が本発明でいう締結手段に相当し、プラグ４１が同じく締結解除防止手段に相当する。
【００７７】
なお、当局の立ち入り検査等の場合において、カバー体２を正当な理由の下に外したい場合には、図７および図１７に示すようにカバー体２の円筒部４２の周囲の第１スリット孔４４〜４４の相互間の第１支持部４５をすべて切断すれば、円筒部４２とそれ以外のカバー部分とに分離することができ、これにより締結ビス４０を締め込んだままカバー体２を簡単に外すことができる。なお円筒部４２が本発明でいう結合部に相当している。
【００７８】
また、不正改造の目的で第１支持部４５を切断した場合には、これを目視により簡単に発見することができ、この意味において間接的に不正改造の防止を図ることができる。
【００７９】
更に、制御基板３をケース体１から外したい場合には、前記のようにカバー体２を開けた後、第２スリット孔４７〜４７の相互間の支持部を前記第１支持部４５と同様に切断することにより、円筒部４２を底部とそれ以外の部分とに分離することができ、これにより締結ビス４０をドライバー等の工具により取外すことが可能になり、ケース体１から制御基板３を取外すことができる。
【００８０】
また、前記プラグ４１に図１８（ｂ）に示すように係合段部５０を形成し、また円筒部４２の内周面には同図（ａ）に示すように前記プラグ４１の係合段部５０に対応する係止段部５１を形成すると、プラグ４１を円筒部４２に嵌入させることによって係合段部５０と係止段部５１とが係合し、プラグ４１の不正な抜き取りを一層確実に防止することができる。
【００８１】
なお、本変更例ではケース体１の周壁部５には制御基板３の端縁付近に取り付けられてカバー体２の外部に露出されたコネクタ３０，３１を避けた位置に配設された前突き合わせ壁８を形成し、カバー体２の周壁部１６には前突き合わせ壁８の後側に突き合わせ状に設置される後突き合わせ壁１７を形成し、後突き合わせ壁１７には前突き合わせ壁８に設けた係止部１０に前後合わせ面９，１８から離れた位置で弾発力によって解離可能に係止される被係止部１９を設けるとともに、前突き合わせ壁８には後突き合わせ壁１７に設けた案内部２０に嵌め合わされて係止部１０と被係止部１９との掛合状態が解離される方向へのカバー体２の動きを阻止する位置決め突起１１が設けられている。
【００８２】
このため、カバー体２をケース体１に重ね合わせるときにカバー体２が案内部２０と位置決め突起１１とによって案内されて被係止部１９の弾発力に抗して直進するので、カバー体２の逃げ挙動をなくして係止部１０と被係止部１９とを円滑に掛合させ、カバー体２をケース体１に容易に係止することができるとともに、係止部１０と被係止部１９とが掛合した状態ではこの掛合状態が解離される方向へのカバー体２の逃げ挙動を案内部２０と位置決め突起１１とによって阻止することができるので、係止部１０と被係止部１９との掛合状態を強化および安定化することができる。
【００８３】
また、ケース体１とカバー体２との相対位置を案内部２０と位置決め突起１１とによって常に規正してカバー体２をケース体１に係止することができる。
【００８４】
さらに、係止部１０と被係止部１９とが制御基板３の配線用電気部品を避けた位置で掛合するので、制御基板３への配線を係止部１０および被係止部１９によって阻害されずに行うことができる。
【００８５】
〔第２変更例〕
第２変更例について図１９の説明図を参照して説明する。本第２変更例は第１変更例の一部を変更したものであるからその変更部分について詳述し、第１変更例と同一もしくは実質的に同一構成と考えられる部分には同一符号を付して重複する説明は省略する。なお後述する第３変更例についても同様の考えで重複する説明は省略する。また第２変更例，３の場合、第１変更例における第２スリット孔４７は排除されている。
【００８６】
本変更例は、図１９（ｂ）に正面図でまた同（ｃ）に斜視図で示すように、締結ビス（符号５３を付す）として、その頭部５４にドライバー等の回動操作部材と係合する係合部５５と、ドライバー等の回動操作部材の所定以上の締め付け力によって剪断するくびれ部５６を備えるシャービスとも呼ばれるネジ部材を使用するものである。
【００８７】
前記締結ビス５３は、図１９（ａ）の断面図に示すように、カバー体２の円筒部４２の挿通孔４２ａ及び制御基板３の挿通孔３ａを通してケース体１の取付ボス部３３の取付孔３３ａにネジ付けられ、ケース体１とカバー体２とを締結する。そして締結が完了し、くびれ部５６に回動操作部材による所定以上の締め付け力が加わると、そのくびれ部５６に剪断を生じ、図１９（ｄ）に示されるように係合部５５がビス５３側から分離されることになる。すると、図１９（ａ）に示すように締結ビス５３から係合部５５が無くなり、山形の頭部５４が残るだけで、その頭部５４に対する締結解除操作ができなくなる。
本変更例によると、第１変更例のようにプラグ４１といった別部品の締結解除防止手段を設ける必要がなくて済むので、部品点数を削減することができる。
【００８８】
また前記締結ビス５３は、図２２に分解斜視図で示すように、制御基板上に設置されるＲＯＭ７０のＩＣソケット７１にカバー７２を取り付ける場合に使用することができる。この場合もカバー７２の取り付け後は、前記したように締結ビス５３に対する締結解除操作ができなくなるため、カバー７２の取り外しが困難であり、ＲＯＭ７０の不正改造を防止することができる。
【００８９】
〔第３変更例〕
第３変更例について図２０の説明図を参照して説明する。
図２０（ａ）の断面図に示されるように、ケース体１とカバー体２との接合面が全周あるいは部分的に超音波加熱溶接によって溶着されている。なお溶着部分に符号５８を記した。
【００９０】
また締結ビス４０，５３に代えて、図２０（ｂ）に正面図で示す連結ピン６０が使用されている。連結ピン６０は、軸部６１の先端部に凹部６２をもつ頭付き軸部材からなる。この軸部６１はケース体１の取付ボス部３３の取付孔３３ａの孔径ｄよりやや大きい軸径ｄ１  とされ、またその凹部６２より先端の先端軸部６１ａは前記取付孔３３ａの孔径ｄとほぼ等しい軸径ｄ２  とされ、また凹部６２は先端軸部６１ａの軸径ｄ２  よりも小さい軸径（符号省略）で形成されている。また連結ピン６０の頭部６３は円板状でその上端面は平坦面となっている。
【００９１】
前記連結ピン６０は、図２０（ａ）に示すように、カバー体２の円筒部４２の挿通孔４２ａ及び制御基板３の挿通孔３ａを通してケース体１の取付ボス部３３の取付孔３３ａに挿入するに際し、その頭部６３に超音波加熱溶接機の超音波振動子（図中、二点鎖線参照）６５による超音波振動が付与される。これによりケース体１の取付孔３３ａ周りの樹脂が溶融しつつ連結ピン６０が挿着される結果、ケース体１とカバー体２とが分離不能に締結され、かつ連結ピン６０の凹部６２には熱溶接による樹脂の一部が流入し硬化する。
【００９２】
本変更例によると、ケース体１とカバー体２との接合面の溶着部５８、及びケース体１の取付ボス部３３に対する連結ピン６０の溶着部が熱溶接により分離不能に結合されているため、制御基板３の不正改造をするためには熱溶接による結合部分を破壊させなければならず、このため不正改造されたとしても結合部分の破壊の痕跡が明らかに残ることになる。したがって従来に比べ、制御基板３の不正改造をより確実に防止することができる。
【００９３】
また、熱溶接が超音波加熱溶接であるので、溶接作業時に溶接部位のみ熱が発生し他の部位はほとんど熱くならないため、やけどの危険を免れることができる。
【００９４】
また、連結ピン６０の凹部６２に樹脂が流入して硬化することにより、凹部６２をもたない連結ピンに比べてケース体１とカバー体２とを強固に固着することができる。なお連結ピン６０は本発明でいう連結部材に相当している。
また連結ピン６０としては、上記の他、図２１に正面図で示すように、軸部６１の外周面にローレット６４による凹部を形成したものを採用することができる。
【００９５】
また上記したケース体１とカバー体２との接合面の溶着部５８による結合と、連結ピン６０を使用する結合とは、それぞれ単独の結合手段として採用することができる。
【００９６】
〔第４変更例〕
第４変更例について制御基板収納ボックスの正面図を示した図２３に基づいて説明する。また説明に際しては、図２３の各部の断面図を示す図２４〜図３０を参照する。なお図２４は図２３のＸ１０−Ｘ１０線断面図、図２５は図２３のＸ１１−Ｘ１１線断面図、図２６は図２３のＸ１２−Ｘ１２線断面図、図２７は図２３のＸ１３−Ｘ１３線断面図、図２７は図２３のＸ１４−Ｘ１４線断面図、図２８は図２３のＸ１５−Ｘ１５線断面図、図２９は図２３のＸ１６−Ｘ１６線断面図である。
【００９７】
本形態４の制御基板収納ボックス８０は、第１変更例と同様にパチンコ機における遊技盤の裏面に組付けられる図示しない裏カバー（詳しくは役物保護カバーあるいは裏機構板などが相当する。）に取外し可能に結合されて遊技盤の後側に設置される。制御基板収納ボックス８０は、制御基板８３を収納する合成樹脂製のケース体８１とカバー体８２とを備えている。ケース体８１は、ほぼ四角形板状をなしており、その周縁部に前方へ立ち上がる上下左右の側壁８１ａ〜８１ｄを備えている。それらの側壁８１ａ〜８１ｄの立ち上がり高さは、上側壁８１ａと右側壁８１ｄは高くまた下側壁８１ｂと左側壁８１ｃは低く形成されている。（各断面図参照）。
【００９８】
ケース体８１の左下部には、カバー体８２をネジ止めするための第１基準ボス部８４が形成されている（図２４及び図２９参照）。またケース体８１の右側壁８１ｄの上部には、カバー体８２をネジ止めするための第２基準ボス部８５が突出状に形成されている（図２８参照）。
【００９９】
ケース体８１の下側壁８１ｂと左側壁８１ｃとを連設する隅角部分の傾斜した側壁部（符号８１ｅを付す）及び上側壁８１ａの右部の計２箇所には、それぞれ先端部に第１取付ボス部８７を有する第１取付片８６が外向きに突出されている（図２４及び図２５参照）。これと同様に、ケース体８１の上側壁８１ａの左部及び右側壁８１ｄの下部の計２箇所には、それぞれ先端部に第２取付ボス部８９を有する第２取付片８８が突出されている（図２４及び図２７参照）。
【０１００】
ケース体８１の左右の側壁８１ｃ，８１ｄには、それぞれ一対をなす係止ピン９０が突出されている。なお係止ピン９０は、遊技盤の裏カバー側に配置する左右のセットプレート９１（図２３、図２８及び図３０中の二点鎖線参照）の係合孔（図示省略）にそれぞれ係合され、これによりケース体８１を裏カバーに支持する。
【０１０１】
一方、カバー体８２は、前記ケース体８１より小さめのほぼ四角形板状をなしており、その周縁部に後方（裏方）へ立ち上がる上下左右の側壁８２ａ〜８２ｄを備えている。それらの側壁８２ａ〜８２ｄの立ち上がり高さは、前記ケース体８１とは反対に上側壁８２ａと右側壁８２ｄは低く、また下側壁８２ｂと左側壁８２ｃは高く形成されている。（各断面図参照）。なお上側壁８２ａと右側壁８２ｄは、ケース体８１とカバー体８２の結合時においてケース体８１の上側壁８１ａと右側壁８１ｄの内側に重合状に位置する。
【０１０２】
カバー体８２の裏面には、前記第１基準ボス部８４とほぼ同一軸線上に位置する第１基準ネジ座部９４を先端部に有する基準ネジ用円筒部９３が形成されている。（図２４及び図２９参照）。またカバー体８２には、前記第２基準ボス部８５とほぼ同一軸線上に位置する第２基準ネジ座部９５が形成されている（図２８参照）。
【０１０３】
カバー体８２には、前記ケース体８１の２箇所の第１取付片８６の第１取付ボス部８７とそれぞれほぼ同一軸線上に位置する第１取付ネジ座部９７を有する第１突出片９６が形成されている（図２４及び図２５参照）。これと同様に、カバー体８２には、前記ケース体８１の２箇所の第２取付片８８の第２取付ボス部８９とそれぞれほぼ同一軸線上に位置する第２取付ネジ座部９９を有する第２突出片９８が形成されている（図２４及び図２７参照）。また各突出片９６，９８の基端部には、それぞれほぼ楕円形状の開口孔１００を形成することにより脆弱な開封部１０１が設けられている。
【０１０４】
カバー体８２の上部左右の２個所と右下部の計３箇所には、制御基板８３をネジ止めするための基板取付ボス部１０３を先端部に有する取付ネジ用円筒部１０２がそれぞれ形成されている（図２５、図２６及び図３０参照）。
【０１０５】
カバー体８２の左上部と右下部の計２箇所には、第１変更例と同様に、不正改造防止用の封印シールを貼り付けるための封印シール貼り付け部１０５が設けられている。同貼り付け部の周囲には突条１０５ａが形成されており、これにより貼り付けた封印シール（図示省略）の端部を遮蔽することにより、一旦貼り付けた封印シールを簡単には剥がせないようになっている。
【０１０６】
カバー体８２の右下部には、同一円周上に位置する円弧状のスリット孔１０６が断続的に複数（図では３個で例示した）形成されている（図２５参照）。このスリット孔１０６の相互間の脆弱部（符号省略）を切断することにより、例えば確率設定スイッチ用窓部を開口することができる。またカバー体８２の中央部には、機種名表示シールを貼り付けるための表示シール貼り付け部１０７が設けられている。またカバー体８２には複数の放熱孔１０８が適宜開口されている。
【０１０７】
制御基板８３は、前記ケース体８１周囲の側壁８１ａ〜８１ｅ内にほぼ隙間なく収納できる大きさ形状に形成されている。制御基板８３は、表面を実装面８３ａとし、裏面をハンダ面８３ｂとしている。前記実装面８３ａには、図示はしないがＲＯＭ、ＲＡＭ、ＩＣ等の電子部品が実装されている。
【０１０８】
制御基板８３には、前記カバー体８２の３箇所の基板取付ボス部１０３とそれぞれほぼ同一軸線上に位置する取付孔１１０が形成されている（図２５、図２６及び図３０参照）。また制御基板８３には、前記ケース体８１の第１基準ボス部８４とカバー体８２の第１基準ネジ座部９４とほぼ同一軸線上に位置する基準孔１１１が形成されている（図２４及び図２９参照）。また、カバー体８２より露出する制御基板８３の左縁部および下縁部の実装面８３ａには、図示しないが第１変更例と同様に各種コネクタ及びヒューズ等が配置されている。
【０１０９】
またケース体８１と制御基板８３との間には、パンチングメタル等の導電材からなるシールド板１１２が介在されている（各断面図参照）。シールド板１１２は、パチンコ球の転がり摩擦等による静電気を遮断し、その静電気による制御基板８３の電子部品への影響によるノイズの発生を防止する。またシールド板１１２には、前記ケース体８１の第１基準ボス部８４と嵌合する嵌合孔１１２ａが形成されている（図２４及び図２９参照）。
【０１１０】
次に、ケース体８１とカバー体８２の結合手順について説明する。まずカバー体８２に制御基板８３を取り付ける。詳しくは、タッピンネジあるいはビス等からなる取付ネジ１１４を制御基板８３の３箇所の各取付孔１１０を通じてカバー体８２の当該基板取付ボス部１０３にそれぞれネジ付ける（図２５、図２６及び図３０参照）。なお図２３において左上部と右下部に位置する取付ネジ１１４によりシールド板１１２が制御基板８３とともにカバー体８２に取り付けられる（図２５及び図３０参照）。
【０１１１】
前記制御基板８３を取り付けたカバー体８２をケース体８１にそのケース体前面を覆うように重ね合わせる。次に、タッピンネジあるいはビス等からなる第１基準ネジ１１５をカバー体８２の第１基準ネジ座部９４及び制御基板８３の基準孔１１１を通してケース体８１の第１基準ボス部８４にネジ付ける（図２４及び図２９参照）。さらに、タッピンネジあるいはビス等からなる第２基準ネジ１１６をカバー体８２の第２基準ネジ座部９５を通してケース体８１の第２基準ボス部８５にネジ付ける（図２８参照）。
【０１１２】
続いて封印のために、第２変更例で使用した締結ビス５３（図１９（ｂ），（ｃ）参照）を使用する。すなわち締結ビス５３をカバー体８２の２箇所の各第１取付ネジ座部９７を通してケース体８１の当該第１取付ボス部８７にそれぞれネジ付ける（図２４及び図２５参照）。この締結ビス５３の締結完了（係合部５５の欠落（図１９（ｄ）参照））により、ケース体８１とカバー体８２が締結されると同時に、締結ビス５３に対する締結解除操作が不能とされる。その後、カバー体８２の封印シール貼り付け部１０５に封印シール（図示省略９がケース体８１に跨がるように貼り付けられる。この状態で、制御基板収納ボックス８０がパチンコ機の裏カバーに前に述べたようにセットプレート９１を介して設置される。
【０１１３】
上記したパチンコ機の制御基板収納ボックス８０によると、ケース体８１とカバー体８２とが締結ビス５３による結合手段により分離不能に結合されているため、前記第２変更例と同様に制御基板８３の不正改造を防止することができる。
【０１１４】
また当局の立ち入り検査等の場合において、カバー体８２を正当な理由の下に外したい場合には、第１基準ネジ１１５及び第２基準ネジ１１６を取り外すとともに、２箇所の第１突出片９６の開封部１０１を切断することにより、前記締結ビス５３を締め込んだままカバー体８２を簡単に取り外すことができる。そして、３箇所の取付ネジ１１４を取り外すことにより制御基板８３の実装面８３ａの検査が可能である。
【０１１５】
また、もう一度、ケース体８１とカバー体８２とを結合する場合には、カバー体８２に制御基板８３を取付ネジ１１４で取り付けた後、ケース体８１とカバー体８２とを第１基準ネジ１１５及び第２基準ネジ１１６により締結するとともに、締結ビス５３をカバー体８２の２箇所の各第２取付ネジ座部９９を通してケース体８１の当該第２取付ボス部８９にそれぞれネジ付ければ、前記と同様に再使用することができる。なお開封部１０１は、カバー体８２に代えてケース体８１の各突出片に設けることができる。また締結ビス５３による再締結回数は本形態では１回であるが、再締結のための取付ボス部及び取付ネジ座部を適宜増設し２回以上に設定してもよい。
【０１１６】
また、不正改造の目的で開封部１０１を切断した場合には、これを目視により容易に発見することができ、この意味においても間接的に不正改造の防止を図ることができる。
【０１１７】
また、不正改造の目的でケース体８１からカバー体８２が不正に取外されたとしても、未だ制御基板８３の実装面８３ａがカバー体８２により覆われているため、このままの状態ではＲＯＭ交換等の不正改造することができず、したがって制御基板８３の不正改造の防止に有効である。またカバー体８２から制御基板８３を取り外すにしても、取付ネジ１１４を取り外すといった時間のかかる手間が必要となるため、これまた不正防止に効果的である。
【０１１８】
〔第５変更例〕
第５変更例について図３１及び図３２を参照して説明する。本第５変更例は第４変更例の一部を変更したものであるからその変更部分について詳述し、第４変更例と同一もしくは実質的に同一構成と考えられる部分には同一符号を付して重複する説明は省略する。
【０１１９】
本変更例は、図３１に分解斜視図でまた図３２に平断面図で示すように、ケース体８１を裏カバーとしての樹脂製役物保護カバー１１８に一体形成したものである。役物保護カバー１１８は、遊技盤１１９の裏側の図柄表示装置１２０、役物用ソレノイド１２１、ランプソケット等を開閉可能に覆うもので、一側部にヒンジ部１２２を介して固定片１２３が連設されており、その固定片１２３が遊技盤１１９に固定ネジ１２４により取り付けられ、また他側部がロック装置（図示省略）により開閉可能に取り付けられるものである。
【０１２０】
また図３１に示すように、役物保護カバー１１８の上部には、ほぼ四角枠状をなすように断続的にスリット孔１２５が形成されている。これは、例えば図柄表示装置１２０が遊技盤１１９裏方へ大きく突出し、遊技盤１１９に役物保護カバー１１８が取り付けられない場合に有用である。すなわち前記スリット孔１２５の相互間の脆弱部（符号省略）を切断することにより、四角形状の窓部を形成し、この窓部に前記図柄表示装置１２０を位置させる。そして図柄表示装置１２０を覆う補助カバー１２６を役物保護カバー１１８にネジ止めなどにより取り付けることで、多様な遊技盤１１９に対応することが可能である。
【０１２１】
また前記制御基板８３の外部配線用コネクタ１２７は、役物保護カバー１１８側の凹部１２８とカバー体８２の位置決め兼用の突起部１２９とによって挟みこまれる。また図３２に示すよように、役物保護カバー１１８のケース体部分８１（ケース体８１の同一符号を記す）８１には前記図柄表示装置１２０及び役物用ソレノイド１２１等につながる配線１３０の第１コネクタ１３１が取り付けられている。この第１コネクタ１３１に対応する制御基板８３の第２コネクタ１３２が制御基板８３のハンダ面８３ｂに取り付けられている。コネクタ１３１は、役物保護カバー１１８を開けた状態で、ケース体部分８１の遊技盤側に設けられたコネクタ１３３に接続する。コネクタ１３２は、その役物保護カバー１１８へのカバー体８２の取り付けと同時に、ケース体部分８１の外側（図３２下方側）に設けられたコネクタ１３４と相互に突き合わせ状に当接し、これによって制御基板８３と、図柄表示装置１２０及び役物ソレノイド１２１等との相互の電気的接続がなされる。また前記ケース体８１にはシールド板１１２が取り付けられている。また本形態におけカバー体８２は、制御基板８３の実装面が透かし見えるような透明あるいは半透明の樹脂材料によって形成されている。従って、カバー体８２を取り外さずに実装面の状態を見透かすことができ、これまた不正改造の発見に有利である。
【０１２２】
本変更例においても、第４変更例と同様に、まず制御基板８３をカバー体８２に取付ネジ１１４により取り付けた後、そのカバー体８２が役物保護カバー１１８のケース体部分８１に締結ビス５３により取り付けられる（図３１及び図３２参照）。従って、本変更例によっても前記第４変更例と同等の作用効果が得られる。また本変更例によると、形態４におけるケース体８１が不要となるため、部品点数及び組付け工数の削減が図れる。またカバー体８１の取付けと同時に図柄表示装置１２０等との電気的接続がなされるため、配線作業工数の削減が図れる。またケース体８１を役物保護カバー１１８に代えて裏機構板に一体形成してもよい。
【０１２３】
本発明は前記変更例に限定されるものではなく、本発明の要旨を逸脱しない範囲における変更が可能である。例えば結合手段としては接着剤を使用することも考えられる。また締結手段として締結ビス４０はボルトに代えることができる。また締結解除防止手段としては、プラグ４１の他、円筒部４２に注入し硬化された接着剤でもよい。また第１支持部４５は、ケース体１側に設けることもでき、またケース体とカバー体２の両方に設けることもできる。また第１支持部４５及び第２支持部は、薄肉部を形成することによっても得られる。また第１支持部４５及び第２支持部は、薄肉部を形成することによっても得られる。また熱溶接には、超音波加熱溶接の他、樹脂の熱加工に使用される熱溶接を流用することが可能である。また連結部材としては、連結ピン６０の他、ボルト、ビス等を流用することも可能である。
【０１２４】
〔第６変更例〕
次に、図３３〜図４２に基づいて第６変更例を説明する。このパチンコ機における合成樹脂製の制御基板収納ボックス２１０は、図３３および図３４に示すように制御基板２１１を収納するケース体２１２と、そのケース体２１２に取り付けられて前記制御基板２１１を覆うカバー体２１３とを備えている。制御基板収納ボックス２１０は、周知のようにパチンコ機の遊技盤の裏面に組付けられる図示しない裏カバー（詳しくは役物保護カバーあるいは裏機構板などが相当する。）に取り外し可能に結合されて遊技盤の後側に設置されるものである。なお、ケース体２１２の正面図が図３５に示されている。
【０１２５】
図３５に示すように、ケース体２１２は、ほほ四角形板状をなしており、その外周部に側壁２１２ａを備えている。ケース体２１２の四隅部には、それぞれ下穴２１４ａを有するボス部２１４がそれぞれ形成されている。なお、図３５における左下部のボス部２１４はカバー固定用基準ボス部に設定され、残りのボス部は基板固定用取付ボス部に設定されている。
【０１２６】
また、ケース体２１２の左右側面には、それぞれ上下一対をなす係止ピン２１５が突出されている。この係止ピン２１５は、遊技盤の裏カバーに配置される左右のセットプレート２１６（図３３中の二点鎖線参照）の係合孔（図示省略）にそれぞれ係合されるものである。この係止ピン２１５とセットプレート２１６の係合をもって、制御基板収納ボックス２１０が遊技盤の裏カバーに支持される。
【０１２７】
図３３及び図３４に示すように、ケース体２１２には、制御基板２１１がほぼ隙間なく収納されている。制御基板２１１は、表面を実装面２１１ａとし、裏面をハンダ面２１１ｂとしている。前記実装面２１１ａには、ＲＯＭ２１８、各種コネクタ２１９の他、図示しないＲＡＭ、ＩＣ、ヒューズ等の部品が実装されている。ケース体２１２と制御基板２１１との間には、パンチングメタル等の導電材からなるシールド板２２０が介在されている（図３４参照）。シールド板２２０は、パチンコ球の転がり摩擦等による静電気を遮断し、その静電気による制御基板２１１の電子部品への影響によるノイズの発生を防止する。
【０１２８】
制御基板２１１は、その四隅部において前記ケース体２１２の各ボス部２１４の下穴２１４ａにねじ込まれるタッピンネジからなる固定用ビス２２１によって締着されている。図３３における左下部の固定用ビス２２１は、カバー体２１３を固定するカバー固定用基準ビスを兼用している。カバー体２１３は、制御基板２１１の左縁部及び下縁部を露出するように前記ケース体２１２より小さ目のほぼ四角形状に形成されており、その外周部に側壁２１３ａを備えている（図３４参照）。カバー体２１３の左側面及び下側面を形成している側壁２１３ａの先端は制御基板２１１と当接し、またカバー体２１３の上側面及び右側面を形成している側壁２１３ａはケース体２１２の側壁２１２ａと一連状の側壁を形成している。
【０１２９】
カバー体２１３で覆われない制御基板２１１の実装面２１１ａには、各種コネクタ２１９が配置されている。また、制御基板２１１の実装面２１１ａに配置されたＲＯＭ２１８には矩形ボックス状のＲＯＭカバー２２３が嵌め合わせによって被せられ、さらにカバー体２１３でも覆われている。ＲＯＭカバー２２３の上面は、カバー体２１３と接面している。
【０１３０】
カバー体２１３の左側面を形成している側壁２１３ａには凹所２２４が設けられている。凹所２２４には、制御基板２１１上のパワートランジスタ等の大きな熱を発生する熱源を取着した放熱部材（ヒートシンク）２２５が露出されており、放熱効果が高められている。またカバー体２１３には、制御基板収納ボックス２１０の内部で発生する熱を逃がすための小径の放熱孔２２６が多数開けられている。
【０１３１】
図３３に示すように、カバー体２１３の正面中央部には、機種名シールの貼り付け部２２７が設定されている。またカバー体２１３の正面右下部には、確率変更キースイッチの取り付け孔２２８が設けられている。またカバー体２１３の正面右上部には、ＲＯＭ２１８の上方に位置する部分（図３５参照）にシリアルナンバーシールの貼り付け部２２９が設定されている。
【０１３２】
ケース体２１２とカバー体２１３との一連状をなす側壁２１２ａ，２１３ａは、ケース体２１２とカバー体２１３の結合時において互い違い状に嵌め合わされている。詳しくは、図４２のケース体２１２とカバー体２１３との嵌め合わせ構造を示す分解斜視図によく表されているように、ケース体２１２の側壁２１２ａとカバー体２１３の側壁２１３ａとの外側縁部には凹凸状に噛み合う突片部２３１と嵌合凹部２３２が交互に形成されており、ケース体２１２とカバー体２１３の結合時において突片部２３１と嵌合凹部２３２が互いに嵌め合わされることによって側壁２１２ａ，２１３ａが一連状に接続されている。
【０１３３】
前記カバー体２１３には、図３３に示すように放熱孔２２６より大きい口径をなす上下左右の計４個の位置決め穴２３３が形成されている。位置決め穴２３３は、貫通していない有底状いわゆる窪み状に形成されている。これは制御基板収納ボックス２１０内への異物の侵入を極力防ぐことを目的とし、位置決め穴２３３からの針金等による不正改造行為を防止する。
【０１３４】
一方、ケース体２１２の下面には、前記位置決め穴２３３と同一軸線上に位置する位置決め突起２３４が突出されている（図３４参照）。このため、例えば、複数の制御基板収納ボックス２１０を積み重ねたときに、下側の制御基板収納ボックス２１０の位置決め穴２３３に上側の制御基板収納ボックス２１０の位置決め突起２３４が係合することにより、制御基板収納ボックス２１０の荷崩れを防止することができる。このことは、制御基板収納ボックス２１０の輸送時、パチンコ機の組立工場での保管時等に有効である。また、パチンコ機の制御が複雑になり、制御基板２１１の面積を大きくしなければならない場合に、１枚の制御基板２１１で対処しようとするとパチンコ機の裏側の限られた空間に収容することが困難になるため、制御基板２１１を複数に分割して使用することが考えられるが、その際に特別な制御基板収納ボックス２１０を作らないで、同一の制御基板収納ボックス２１０を積み重ねてパチンコ機に搭載する場合に、前記位置決め穴２３３と位置決め突起２３４との係合による位置決め機能によって相互間の位置ずれを防止することができて好都合である。
【０１３５】
また位置決め突起２３４は、制御基板収納ボックス２１０を積み重ねた時の荷崩れ防止の他、制御基板収納ボックス２１０をパチンコ機の裏面（具体的には保護カバー等）に前記セットプレート２１６を介して取り付けたときに制御基板収納ボックス２１０を確実に保持する機能も有している。すなわち、通常、セットプレート２１６が可撓性を有していることから、位置決め突起２３４がない場合、制御基板収納ボックス２１０の横方向（図３３において左右方向）からの外力によりセットプレート２１６が撓んで制御基板収納ボックス２１０が保護カバー等から外れてしまうおそれがある。このため、保護カバー等に位置決め突起２３４と係合する穴を設けてき、制御基板収納ボックス２１０を保護カバー等に取り付けたときに位置決め突起２３４を保護カバーの穴と係合させることにより、制御基板収納ボックス２１０の横方向の外力による脱落を防止することができる。
【０１３６】
図３３に示すように、制御基板収納ボックス２１０の側面には適数群の封印部群２３６が配置されている。本形態では、封印部群２３６が制御基板収納ボックス２１０の上側中央部、右側下部、及び左側下部の計３ヶ所に設定されている。各封印部群２３６は、締結ビス２３８によって封印可能な複数（図は４個を示す。）の封印部２３７を備えている。各封印部群２３６は同一の構成であるから、図３３における右側下部の封印部群２３６について図３６〜図４１を参照して詳述し、他の封印部群２３６についてはその説明を省略する。なお図３６は封印部群の正面図、図３７は封印部の封印状態を示す断面図、図３８は締結ビスの仮止め状態を示す断面図、図３９は封印部の分解断面図、図４０は封印番号を示す封印部群の正面図、図４１は締結ビスの説明図である。
【０１３７】
封印部２３７を説明する前に締結ビス２３８に図４１を参照して述べておく。図４１において、締結ビス２３８は、締めつけは可能であるが、弛めを不可能としたワンウエイタイプのネジであり、（ａ）は締結ビスの平面図、（ｂ）は正面図、（ｃ）は底面図、（ｄ）はネジ山の断面図である。締結ビス２３８は、図（ａ）〜（ｃ）に示すように、ネジ山２３９ａを外周に有する軸部２３９と、十字ドライバー等の回動操作部材と係合する係合穴２４０ａを上面に有する頭部２４０とからなる。頭部２４０の係合穴２４０ａは、十字ドライバー等による回動工具の締めつけ方向（図（ａ）中、矢印Ａ方向参照）に関しては係合し、逆に弛め方向（図（ａ）中、矢印Ｂ方向参照）に関しては非係合となる形状に形成されている。また軸部２３９のネジ山２３９ａには、図（ｂ）及び（ｃ）に示されるように円周上に４ヶ所の溝部２３９ｂがネジ山２３９ａと交差状に形成されている。またネジ山２３９ａのネジ山角は、図（ｄ）に示されるように上下非対称となっている。
【０１３８】
上記の構成を有する締結ビス２３８は、回動工具による締めつけを可能とする一方、回動工具の弛め方向（図４１（ａ）中、矢印Ｂ方向参照）に対する頭部２４０の係合力を小さくしかつ弛め方向のネジ山２３９ａの回動抵抗を大きくすることにより、締めつけ状態からの取り外しが不能となっている。なお、このような締結ビス２３８には、例えば日東精工株式会社製の商品名；ギザタイト、品番ＧＴＰ３ＸＬを使用することができ、あるいは実開昭５９−４７１１４号公報、特開平３−１０３６０７号公報に開示されたネジを代用することも可能である。
【０１３９】
次に、封印部２３７について説明する。図３９に示すようにケース体２１２の側壁２１２ａには、有底状の下穴２４２ａを有する封印ボス部２４２が開封部２４２ｂを介して突出状に形成されている。またカバー体２１３の側壁２１３ａには、前記ケース体２１２の封印ボス部２４２と対応する封印締着部２４４が開封部２４４ｂを介して突出状に形成されている。各開封部２４２ｂ，２４４ｂは、首状に細く形成されており、ニッパー、カッター等の切断工具により切断可能となっている。また封印ボス部２４２と封印締着部２４４との合わせ面には、相互に嵌まり合う円形の係合凸部２４６ａと係合凹部２４６ｂとからなる係合手段が設けられている。
【０１４０】
前記封印締着部２４４は、ほぼ円筒状に形成されており、図示下端部にビス孔２４４ａを有しており、そのビス孔２４４ａより図示上方部分にビス保持部２４７を有している。ビス保持部２４７の上半部には、周方向に２個のスリット２４８が形成されている（図３６参照）。また図３９において、締結ビス２３８の頭部２４０の外径をｄ１  、軸部２３９の外径をｄ２  としたとき、ビス保持部２４７の内径Ｄ１  、ビス孔２４４ａの口径Ｄ２  、封印ボス部２４２の下穴の内径Ｄ３  は、
Ｄ１  ＜ｄ１
Ｄ２  ＞ｄ２
Ｄ３  ＜ｄ２
の寸法関係を満たすように形成されている。また封印締着部２４４は、締結ビス２３８を収容可能な高さを有している。
【０１４１】
前記封印締着部２４４において、ビス保持部２４７に締結ビス２３８が挿入されることにより、締結ビス２３８の頭部２４０によりビス保持部２４７がスリット２４８間を開くように拡開され、その拡開に抵抗する弾性によって頭部２４０が保持されることによって仮止めされる（図３８参照）。そして、ケース体２１２に対するカバー体２１３の組付けにともないケース体２１２の封印ボス部２４２とカバー体２１３の封印締着部２４４とが係合凸部２４６ａと係合凹部２４６ｂの嵌め合いを介して同一軸線上に位置する（図３８参照）。そして封印に際しては、締結ビス２３８が回動工具によって当該封印ボス部２４２の下穴２４２ａに締めつけられることによって封印がなされる（図３７参照）。
【０１４２】
図３６に示すように、封印部群２３６の４個の封印部２３７は、図示上から下へ１回目用、２回目用、３回目用、４回目用の封印部２３７となっており、カバー体２１３の開封部２４４ｂには、封印順位を示す「１，２，３，４」の封印番号２５０が付されている。封印番号２５０は図４０によく表されている。制御基板収納ボックス２１０の組み立て完了時には、各封印部群２３６の「１」の封印番号２５０の封印部２３７が締結ビス２３８によって封印されており、各封印部群２３６の「２，３，４」の封印番号２５０の封印部２３７は予備であって封印されていない。なお封印番号２５０は、印刷、刻み込み、樹脂成形金型によって付けることができる。また封印番号は、算用数字の他、ローマ数字、アルファベット、記号等でも代用することが可能である。
【０１４３】
図３６に示すように、カバー体２１３の開封部２４４ｂの上面には、封印番号２５０とともにローレットにより細かい網目模様２５１が形成されている。網目模様２５１は、ローレットによる他、樹脂成形金型によって成形することもできる。また網目模様２５１の形状は、図示の格子目の他、すじ目、斜目にしてもよい。なお網目模様２５１及び封印番号２５０は、ケース体２１２の開封部２４２ｂの下面にも上記と同様に設けられている（図示省略）。
【０１４４】
上記したパチンコ機の制御基板収納ボックス２１０において、ケース体２１２とカバー体２１３とを取り外し不能に封印する締結ビス２３８によって各封印部群２３６の「１」の封印番号２５０の封印部２３７が封印されているため、制御基板２１１の不正改造を防止することができる。
【０１４５】
また当局の立ち入り検査等の場合において、カバー体２１３を正当な理由の下に外したい場合には、３ヶ所の封印部群２３６の「１」の封印番号２５０における開封部２４２ｂ，２４４ｂを切断することにより、前記締結ビス２３８を締めつけたままカバー体２１３を簡単に取り外すことができる。これにより制御基板２１１の実装面２１１ａの検査が可能となる。なお封印部２３７の開封に際しては、カバー体２１３の開封部２４４ｂとケース体２１２の開封部２４２ｂのうち、少なくとも一方が切断されればよい。
【０１４６】
また、３ヶ所の封印部群２３６における「２」の封印番号２５０の封印部２３７のビス保持部２４７に仮止めされた締結ビス２３８を回動工具により封印ボス部２４２に締めつけて封印すれば、制御基板収納ボックス２１０を再使用することができる。上記の繰り返しにより、封印番号２５０の「３」、「４」の順に封印をやり直すことができる。従って、本形態の制御基板収納ボックス２１０の場合、４回分の封印が行える。
【０１４７】
上記した制御基板収納ボックス２１０によると、予め図３８に示すように封印部２３７に締結ビス２３８を仮止めしておくことにより、封印に際し締結ビス２３８を即時に使用して封印することができる。従って、封印に際し締結ビス２３８を用意する手間を省くとともに、締結ビス２３８の紛失を防止することができる。
【０１４８】
また締結ビス２３８がビス保持部２４７の弾性によって仮止め保持されるので、ねじ締めによる仮止め保持と比べて、締結ビス２３８の仮止め作業が簡便に行えるとともに、締結ビス２３８を挿入しずきたとしても簡単に押し戻すことができるため、締結ビス２３８の仮止めにかかる位置管理が容易に行える。
【０１４９】
また、ビス保持部２４７のスリット２４８が途中まで切ってあり、締結ビス２３８の頭部２４０がスリット２４８にかかっている段階では抵抗が少ない状態で締めつけが行われ、締めつけの最終段階（図３７参照）では前記頭部２４０より小さい外径のために大きなトルクで締めつけることとなる。従って、例えばドライバー等の回動工具の先端を締結ビス２３８に接着剤等で接着して締結ビス２３８を巧妙に弛めようとした場合でも、前記接着力より十分大きな抵抗を確保できるため、締結ビス２３８の弛めを確実に阻止することができる。
【０１５０】
またビス保持部２４７において、カバー体２１３だけの状態で締結ビス２３８を仮止めするときに、仮に締結ビス２３８を深く入れすぎ、封印締着部２４４の下面より締結ビス２３８の先端部が突出したとしても、その後の工程におけるカバー体２１３をケース体２１２に取り付けるときに、ケース体２１２の封印ボス部２４２の下穴２４２ａの上端に締結ビス２３８の先端が当接して締結ビス２３８が上方へ押し戻されるため、制御基板収納ボックス２１０の組立作業に影響しない。また、カバー体２１３とケース体２１２とを組付けた後に、締結ビス２３８を仮止めするときでも、締結ビス２３８は上方から軽く圧入されるため、締結ビス２３８の先端がケース体２１２の封印ボス部２４２の下穴２４２ａの上端に当接してそれ以上入らないので、手作業による締結ビス２３８の仮止め作業を容易に行うことができる。
【０１５１】
また締結ビス２３８は、製造工程においてカバー体２１３だけの状態で全てのビス保持部２４７に仮止めしておいてもよいし、あるいはカバー体２１３とケース体２１２とを組み合わせた後にビス保持部２４７に仮止めしてもよい。
【０１５２】
また、封印番号２５０により封印部２３７の封印順位が明確に表示されるため、封印順位をホール管理者等が容易に管理することができ、不正改造行為を容易に発見することができる。
【０１５３】
また不正改造の目的で開封部２４２ｂ，２４４ｂを切断した場合には、その開封にともない網目模様２５１が破損し、その破損した網目模様２５１の改修が技術的に困難となるため、その破損状況から不正改造行為を容易に発見することができる。また開封部２４２ｂ，２４４ｂに網目模様２５１とともに封印番号２５０を設けたため、開封によって封印番号２５０も読み取れなくなることによっても、不正改造行為の発見がしやすくなる。
【０１５４】
また、制御基板収納ボックス２１０内のＲＯＭ２１８が図３４に示すようにＲＯＭカバー２２３によって取り囲まれ、そのＲＯＭカバー２２３の上面がカバー体２１３と接面されているため、ケース体２１２とカバー体２１３との合わせ面をドライバー等でこじ開けてその隙間からＲＯＭ２１８に対して行おうとする不正改造行為を防止することができる。なおＲＯＭカバー２２３は、制御基板２１１とカバー体２１３との間に隙間ができないような形状であれば良く、例えば上記形態のものであればＲＯＭ２１８に嵌め合わせることによって容易に取着することができる。また制御基板２１１上に回路素子や配線が少なく、ＲＯＭ２１８周りに余裕空間のある場合には、ＲＯＭカバー２２３を円筒状や楕円筒状にすることもできる。
【０１５５】
また、ケース体２１２とカバー体２１３との突片部２３１と嵌合凹部２３２とによる嵌め合わせによって一連状の側壁２１２ａ，２１３ａを形成するようにしたため、側壁２１２ａ，２１３ａが外力を受けた場合でも歪みにくい。このため、側壁２１２ａ，２１３ａを押さえつけて、カバー体２１３とケース体２１２との間に隙間を作ろうとしても隙間ができないため、その隙間から針金等の異物を挿入して行おうとする不正改造行為を防止することができる。
【０１５６】
また、ケース体２１２の側壁２１２ａのうち、カバー体２１３の側壁２１３ａと突き合わせとならない部分（図３４において左側の部分）の上端位置が、制御基板２１１と前記側壁２１３ａとの当接位置よりも高い位置にあるため、カバー体２１３の側壁２１３ａと制御基板１１との間から針金等の異物を制御基板収納ボックス２１０内へ挿入しにくくなり、これまた不正改造行為を防止するに有効である。
【０１５７】
〔第７変更例〕
第７変更例について図４３を参照して説明する。本第７変更例は第６変更例の一部を変更したものであるからその変更部分について詳述し、それ以外の重複する説明は省略する。また形態３以降の変更例についても同様の考えで重複する説明は省略する。
【０１５８】
本形態は、第６変更例の締結ビス２３８の仮止め構造に変更を加えたものである。図４３において、（ａ）はビス保持部の平面図、（ｂ）は封印部の断面図である。図４３に示すように、ビス保持部２４７のスリット２４８が周方向に４ヶ所設けられている。このようにビス保持部２４７のスリット２４８の個数を増加させることにより、ビス保持部２４７の弾性力を小さくし、ビス保持部２４７への締結ビス２３８の挿入を軽く行うことができる。なおビス保持部２４７のスリット２４８の個数は適宜選定されるもので限定されない。
【０１５９】
〔第８変更例〕
第８変更例について図４４を参照して説明する。本形態は、第７変更例の締結ビス２３８の仮止め構造に変更を加えたものである。図４４において、（ａ）はビス保持部の平面図、（ｂ）は封印部の断面図、（ｃ）はビス孔部分の平断面図である。図４４（ａ），（ｂ）に示すように、ビス保持部２４７の上端部に内方に突出する適数個（図は４個を示す。）の抜け止め突起２５３が形成されている。また図４４（ｃ）に示すように、ビス孔２４４ａの内周面には、適数個（図は３個を示す。）の支持突起２５４が形成されている。
【０１６０】
また図４４（ｂ）に示すように、ビス保持部２４７の口径Ｄ１  、抜け止め突起２５３の開口部分の口径Ｄ４  、支持突起２５４の開口部分の口径Ｄ５  との関係は、
Ｄ１  ≧ｄ１
Ｄ４  ＜ｄ１
Ｄ５  ＜ｄ２
の寸法関係を満たすように形成されている。なおｄ１  は締結ビス２３８の頭部２４０の外径、ｄ２  は軸部２３９の外径である（図３９参照）。
【０１６１】
上記ビス保持部２４７において、ビス保持部２４７に締結ビス２３８を挿入するときには、締結ビス２３８の頭部２４０によりビス保持部２４７の抜け止め突起２５３が当たってビス保持部２４７が拡開され、締結ビス２３８がビス保持部２４７内に収納されると、ビス保持部２４７が原状状態に復元し、締結ビス２３８が抜け止めされた状態で仮止め保持される。また、収納された締結ビス２３８は、ビス孔２４４ａの支持突起２５４によってそれ以上の下降が阻止される。なお締結ビス２３８が締めつけられるときには、支持突起２５４は締結ビス２３８のネジ山２３９ａによって潰される。
【０１６２】
上記した締結ビス２３８の仮止め構造によると、締結ビス２３８がビス保持部２４７に抜け止め状態で収納されることによって仮止め保持されるので、弾性による仮止め保持（第６変更例，２参照）と比べて、締結ビス２３８の保持中にビス保持部２４７に応力がかからないため、締結ビス２３８の保持力が低下するおそれがなく、長期にわたって仮止め状態を継続することができる。
【０１６３】
また、ビス孔２４４ａに締結ビス２３８の下降を阻止する支持突起２５４を設けたことにより、封印時の締結ビス２３８の締めつけトルクの増大を抑制することができる。例えば、ビス孔２４４ａの口径Ｄ２  と締結ビス２３８の軸部２３９の外径ｄを、
Ｄ２  ＜ｄ２
とすることにより、締結ビス２３８の下降を阻止することはできるが、締結ビス２３８のネジ込みトルクが大きくなってしまうが、Ｄ２  ＞ｄ２  のビス孔２４４ａの内周面に部分的に支持突起２５４を設けることによって、前記締めつけトルクの増大を抑制している。
【０１６４】
また、ビス孔２４４ａの口径Ｄ２  と締結ビス２３８の軸部２３９の外径ｄ２  とを、
Ｄ２  ＞ｄ２
としたまま、支持突起２５４を設けない場合には、カバー体２１３のみの状態で締結ビス２３８を挿入すると、締結ビス２３８の軸部２３９の先端部がビス孔２４４ａからぶら下がる状態になる。この場合は、カバー体２１３とケース体２１２とを組み合わせたときに、締結ビス２３８の先端部が封印ボス部２４２の下穴２４２ａの上端に当たって、締結ビス２３８が持ち上げられた状態で保持される。また、カバー体２１３とケース体２１２とを組み合わせた後に、締結ビス２３８をビス保持部２４７に挿入すれば、締結ビス２３８の先端が封印ボス部２４２の下穴２４２ａの上端に当たって、前記と同様に保持されることになる。
【０１６５】
〔第９変更例〕
第９変更例について図４５を参照して説明する。本形態は第８変更例の締結ビス２３８の仮止め構造に変更を加えたものである。図４５において、（ａ）は封印部の断面図、（ｂ）は抜け止めキャップの斜視図である。図４５に示すように、第８変更例におけるビス保持部２４７の抜け止め突起２５３を排除し、代わりにビス保持部２４７の上端部に被せる抜け止めキャップ２５６を設けている。抜け止めキャップ２５６は、封印部群２３６の全ての封印部２３７のビス保持部２４７に被せることができるように、４個のキャップ主部２５６ａを互いに連設部２５６ｂによって連設している。各キャップ主部２５６ａは、締結ビス２３８の頭部２４０の外径ｄ１  （図３９参照）よりも小さい抜け止め孔２５７を有している。なお抜け止め孔２５７は、少なくとも回動工具の挿入を妨げない口径を有している。また抜け止めキャップ２５６は、ポリプロピレン樹脂等の軟質の樹脂材料によって成形されており、キャップ主部２５６ａをビス保持部２４７にその変形をもって嵌着可能に形成されている。この場合、ビス保持部２４７のスリット２４８は不要である。
【０１６６】
上記した締結ビス２３８の仮止め構造によると、封印部群２３６の各ビス保持部２４７に抜け止めキャップ２５６のキャップ主部２５６ａをそれぞれ装着し、締結ビス２３８をビス保持部２４７に抜け止め状態で収納することによって仮止め保持することができる。
【０１６７】
また、締結ビス２３８をビス保持部２４７に一々挿入することも可能であるが、図４５（ａ）に示すように、キャップ主部２５６ａの抜け止め孔２５７の抜け止め側の口縁に粘着剤２５８を塗布しておくと、制御基板収納ボックス２１０の組立に並行して、抜け止めキャップ２５６に締結ビス２３８の頭部２４０を前記粘着剤２５８を介して仮付けすることができる。そして、制御基板収納ボックス２１０の組立の最終工程で、ビス保持部２４７への抜け止めキャップ２５６の装着と共に前記締結ビス２３８をビス保持部２４７に挿入すれば、組立にかかるリードタイムの削減を図ることもできる。
【０１６８】
また、４個のキャップ主部２５６ａを互いに連設部２５６ｂによって連設した抜け止めキャップ２５６としたため、各ビス保持部２４７に１個一個の抜け止めキャップを被せる場合と比べて、抜け止めキャップ２５６の装着を簡便に行うことができる。
【０１６９】
〔第１０変更例〕
第１０変更例について図４６を参照して説明する。本形態は第９変更例の締結ビスの仮止め構造に変更を加えたものである。図４６は封印部の断面図である。図４６に示すように、第９変更例における抜け止めキャップ２５６を排除し、ビス孔２４４ａを下孔２５９として、その下孔２５９に締結ビス２３８を螺着したものである。
【０１７０】
上記した締結ビス２３８の仮止め構造によると、下孔２５９にビス保持部２４７を通して螺着することによって、締結ビス２３８をビス保持部２４７内に仮止め保持することができる。なお、この場合、下孔２５９に代えて、ビス孔２４４ａの内周面に第８変更例における支持突起２５４（図４４（ｃ）参照）を設けて、締結ビス２３８の締めつけトルクを低減するとよい。
【０１７１】
また、締結ビス２３８を螺着により仮止めする場合において、カバー体２１３だけの状態で仮止めするときには、締結ビス２３８の先端部がカバー体２１３の封印締着部２４４の下面より突き出しすぎないようにする必要があり、またカバー体２１３とケース体２１２と組付けた後に仮止めするときに誤ってカバー体２１３とケース体２１２とを締結しないようにする必要がある。このような場合には、締結ビス２３８の上下方向の位置決め管理あるいはトルク管理を行えばよい。特に、自動組立の場合には、位置決め管理、トルク管理を容易に行うことが可能である。
【０１７２】
〔第１１変更例〕
第１１変更例について図４７を参照して説明する。本形態は締結ビス２３８の変更例を示すものである。図４７（ａ）は締結ビスの斜視図、同（ｂ）は締結ビスの封印状態を示す斜視図である。本形態の締結ビス（符号、２６１を付す。）は、シャービスと呼ばれるもので、図４７（ａ）に示すように、ネジ山を有する軸部２６２の頭部２６３にドライバー等の回動操作部材と係合する係合孔２６４ａを有する係合部２６４と、ドライバー等の回動操作部材の所定以上の締め付け力によって剪断するくびれ部２６５を備えている。
【０１７３】
上記の締結ビス２６１は、締めつけ完了にともない、くびれ部２６５に回動操作部材による所定以上の締め付け力が加わると、くびれ部２６５に剪断を生じ、図４７（ｂ）に示されるように係合部２６４が頭部２６３から分離される。頭部２６３から係合部２６４が無くなり、締結ビス２３８に対する弛めが不可能となる。
【０１７４】
〔第１２変更例〕
第１２変更例について図４８を参照して説明する。本形態は第１１変更例のＲＯＭカバー２２３を変更したものである。ＲＯＭカバー２２３に代えて、図４８に断面図で示すＲＯＭ押え構造を採用している。このＲＯＭ押え構造は、カバー体２１３の裏面に、ＲＯＭ２１８の上面と当接する当接面２６７ａを先端に有する支持柱部２６７を一体に設けたものである。前記支持柱部２６７によりＲＯＭ２１８の抜き取りを防止することができる。
【０１７５】
〔第１３変更例〕
第１３変更例について図４９を参照して説明する。本形態は第１２変更例のＲＯＭ押え構造を変更したもので、支持柱部２６７に代えて、カバー体２１３と別体の支持部材２６９を設けたものである。図４９（ａ）は組付け状態の断面図、同（ｂ）は支持部材の斜視図である。支持部材２６９は、ほぼＵ字形状をなしており、ＲＯＭ２１８の上面と当接する当接面２６９ａを下面に有し、カバー体２１３の放熱孔２２６に係入可能な係合突起２７０を上端面２６９ｂに有している。支持部材２６９は、カバー体２１３の放熱孔２２６に係合突起２７０を係合することにより組付けられる。この場合、制御基板２１１上のＲＯＭ２１８の配置に応じて支持部材２６９の位置を放熱孔２２６が存在する範囲内で適宜変更することができるので、カバー体２１３の共通化を図ることができる。
【０１７６】
〔第１４変更例〕
第１４変更例について図５０〜図５２を参照して説明する。本第１４変更例は第６変更例のカバー体２１３に変更を加えたたものである。図５０は制御基板収納ボックスを示す正面図、図５１は説明断面図である。図５０及び図５１に示すように、カバー体２１３が制御基板２１１の実装面２１１ａを全て覆う形状に形成されている。
【０１７７】
上記のカバー体２１３によると、コネクタ２１９を覆っているので、コネクタ２１９を介しての不正信号の入力といった不正改造を防止することができる。なお、この場合は、ケース体２１２とカバー体２１３との合わせ面に全周にわたって、突片部２３１と嵌合凹部２３２とによる嵌め合い構造が採用される。
【０１７８】
コネクタ２１９等に接続されるリード線（図示省略）は、図５０及び図５２の断面図によく示されるように、制御基板２１１に設けた開口部２７３、ケース体２１２に設けた開口部２７４を通して制御基板収納ボックス２１０の内外に配線することができる。
【０１７９】
また制御基板収納ボックス２１０は、図５３に正面図で示されるように、遊技盤の裏面に取り付ける保護カバー２７５に装着される。このため、制御基板収納ボックス２１０に接続されるリード線は、保護カバー２７５側にも設けられた開口部（図示省略）を通して保護カバー２７５の内方へ配線することができる。従って、制御基板収納ボックス２１０のリード線を、外部に露出すること無く、遊技盤の役物や図柄表示器からの配線と接続することができる。よって、リード線を介しての不正信号の入力といった不正改造を防止することができる。
【図面の簡単な説明】
【図１】本発明の実施形態を示す図であり、制御基板収納ボックスの正面図である。
【図２】制御基板収納ボックスの縦断面図である。
【図３】封印締着部の縦断面図である。
【図４】封印プラグ保管部を示す図であり、（Ａ）はＲＯＭカバーの平面図、（Ｂ）は縦断面図である。
【図５】封印プラグの斜視図である。
【図６】封印部の縦断面図であって、封印締着部に締結ビスを仮止めした状態を示す図である。
【図７】第１変更例を示す制御基板収納ボックスの正面図である。
【図８】図７のＸ１−Ｘ１線矢視図であって、ケース体およびカバー体の分解状態の平面図である。
【図９】ケース体およびカバー体の結合状態の平面図である。
【図１０】図８のＸ２−Ｘ２線矢視図であって、ケース体の正面図である。
【図１１】図８のＸ３−Ｘ３線矢視図であって、カバー体の内面図である。
【図１２】図１０のＸ４−Ｘ４線断面図である。
【図１３】図８のＸ５−Ｘ５線断面図である。
【図１４】図９のＸ６−Ｘ６線断面図である。
【図１５】図８のＸ７−Ｘ７線断面図である。
【図１６】図９のＸ８−Ｘ８線断面図である。
【図１７】図７のＸ９−Ｘ９線断面図であって、ケース体とカバー体の結合部分を示す説明図である。
【図１８】プラグの別例を示す説明図である。
【図１９】第２変更例の要部を示す説明図である。
【図２０】第３変更例の要部を示す説明図である。
【図２１】連結部品の別例を示す正面図である。
【図２２】第２変更例に使用した締結ビスの使用例を示す説明図である。
【図２３】第４変更例を示す制御基板収納ボックスの正面図である。
【図２４】図２３のＸ１０−Ｘ１０線断面図である。
【図２５】図２３のＸ１１−Ｘ１１線断面図である。
【図２６】図２３のＸ１２−Ｘ１２線断面図である。
【図２７】図２３のＸ１３−Ｘ１３線断面図である。
【図２８】図２３のＸ１４−Ｘ１４線断面図である。
【図２９】図２３のＸ１５−Ｘ１５線断面図である。
【図３０】図２３のＸ１６−Ｘ１６線断面図である。
【図３１】第５変更例を示す制御基板収納ボックスの分解斜視図である。
【図３２】同平断面図である。
【図３３】第６変更例の制御基板収納ボックスを示す一部破断正面図である。
【図３４】図３３の説明断面図である。
【図３５】ケース体の正面図である。
【図３６】封印部群を示す正面図である。
【図３７】封印部の封印状態を示す断面図である。
【図３８】締結ビスの仮止め状態を示す断面図である。
【図３９】封印部の分解断面図である。
【図４０】封印番号を示す封印部群の正面図である。
【図４１】締結ビスの説明図である。
【図４２】ケース体とカバー体との嵌め合わせ構造を示す分解斜視図である。
【図４３】第７変更例にかかる締結ビスの仮止め構造を示す説明図である。
【図４４】第８変更例にかかる締結ビスの仮止め構造を示す説明図である。
【図４５】第９変更例にかかる締結ビスの仮止め構造を示す説明図である。
【図４６】第１０変更例にかかる締結ビスの仮止め構造を示す説明図である。
【図４７】第１１変更例にかかる締結ビスを示す説明図である。
【図４８】第１２変更例にかかるＲＯＭ押え構造を示す断面図である。
【図４９】第１３変更例にかかるＲＯＭ押え部材を示す説明図である。
【図５０】第１４変更例の制御基板収納ボックスを示す正面図である。
【図５１】図５０の説明断面図である。
【図５２】配線部の説明断面図である。
【図５３】制御基板収納ボックスを保護カバーに装着した状態を示す正面図である。
【符号の説明】
４０…締結ビス（締結手段）
４１…プラグ（締結解除防止手段）
５３…締結ビス（締結手段）
５６…くびれ部（締結解除防止手段）
５８…溶着部
６０…連結ピン（連結部材）
８１…ケース体
８２…カバー体
８３…制御基板
２１０…制御基板収納ボックス
２１１…制御基板
２１２…ケース体
２１３…カバー体
２３７…封印部
２３８…締結ビス
２４７…ビス保持部
３１０…制御基板収納ボックス
３１１…制御基板
３１２…ケース体
３１３…カバー体
３２３…ＲＯＭカバー
３３７…封印部
３３８…締結ビス
３８０…プラグ保管部
３９０…封印プラグ